(57)【特許請求の範囲】
【請求項１】
扉内面に固定されたサムターン案内筒に回動可能にかつ長さ方向に移動可能に案内され、シリンダー錠に近接する方向に付勢されたサムターン軸の、サムターン案内筒の開口端縁より室内側にある部分の外周面に係合突起を、サムターン案内筒の開口端縁にこの係合突起と係合してその円周方向の移動を阻止する係止凹部を夫々形成し、一方、シリンダー錠の鍵孔内端部に、内側から、作動ピンの一端部を長さ方向に移動可能に挿入すると共に、作動ピンの他端をサムターン軸の内端に臨ませ、施錠時、係合突起と係合凹部とを係合させてサムターン軸が回動しないようにし、解錠時、合鍵の先端により作動ピンをサムターン軸方向に押出し、その係合突起を係止凹部から抜き外すようにしたことを特徴とする安全装置。
【発明の詳細な説明】
【０００１】
【発明の属する技術分野】
この発明は、錠前の安全性を向上させるため、ピッキングを事実上不可能にした新規な安全装置に関する。
【０００２】
【従来の技術】
扉口の錠前のシリンダ錠は、所謂ピッキングによる不正解錠が不可能ではないことは周知の事実であり、また、錠前の安全性を向上させることができるドアチェーンや所謂ガードアーム装置は室内側からしか作動させることができない。
【０００３】
【発明が解決しようとする課題】
それ故、一つの扉に二つの錠前を装着する所謂ワンドア・ツーロックが推奨されている。
【０００４】
しかしながら、ワンドア・ツーロツクは、シリンダ錠及び錠箱をもう１組扉に装着するものであるから、不経済である、という不都合がある。
【０００５】
そこで、この発明は、簡単な構造でピッキングを事実上不可能にし、ワンドア・ツーロックよりも錠前の安全性を向上させることができる新規な安全装置を提供することを目的としている。
【０００６】
【課題を解決するための手段】
上記の目的を達成するため、請求項１に記載の発明は、扉内面に固定されたサムターン案内筒に回動可能にかつ長さ方向に移動可能に案内され、シリンダー錠に近接する方向に付勢されたサムターン軸の、サムターン案内筒の開口端縁より室内側にある部分の外周面に係合突起を、サムターン案内筒の開口端縁にこの係合突起と係合してその円周方向の移動を阻止する係止凹部を夫々形成し、一方、シリンダー錠の鍵孔内端部に、内側から、作動ピンの一端部を長さ方向に移動可能に挿入すると共に、作動ピンの他端をサムターン軸の内端に臨ませ、施錠時、係合突起と係合凹部とを係合させてサムターン軸が回動しないようにし、解錠時、合鍵の先端により作動ピンをサムターン軸方向に押出し、その係合突起を係止凹部から抜き外すようにしたことを特徴とする。
【０００７】
【発明の実施の態様】
以下、この発明の一実施例を図面を参照して説明する。
図１において符号１は扉を示し、この扉１の内面（図で左側の面）にはフランジ付のサムターン案内筒２がねじ３止めされている。
【０００８】
このサムターン案内筒２は、内端（図で左端）を小径にした段付の内筒部を有し、その内端面外周部には、図２に示すように、母線方向に深い係止凹部４が形成されている。
【０００９】
また、サムターン案内筒２の内筒部には、図１に示すように、内端から順に異形断面部、小径部及び大径部を連設したサムターン軸５が回動可能に、かつ長さ方向に移動可能に嵌合している。
【００１０】
すなわち、サムターン軸５の室内側端部（図１で左端部）を室外側からサムターン案内筒２の大径部に差し通し、サムターン案内筒２の内端から室内に突出した部分を例えば止め輪６により長さ方向において拘束する。
【００１１】
サムターン軸５の内端には横断面形状が十字形の連結片７が一体に装着されており、この先端に連結片７を装着したサムターン軸５の内端部は、扉面及び図示を省略する錠箱の側板を挿通して、ダルマ形のクラッチ孔８（図３参照）を開口させたダルマ軸９と係合している。
【００１２】
このダルマ軸９には、外側から、後述するシリンダ錠の内筒に一体に結合されたテールピースが係合することは通常の錠止機構と同様である。
【００１３】
ちなみに、このダルマ軸９の外周部には図示しないデッドカムが一体的に装着され、このデッドカムによってデッドボルトなどの錠止ボルトの出没が制御される。
【００１４】
また、図１に示すように、サムターン案内筒２の内筒段部とサムターン軸５の大径段部との間には圧縮コイルばねとしての付勢ばね１１が弾装されており、この付勢ばね１１の弾力により、サムターン軸５はシリンダー錠１２に近接する方向に付勢されている。
【００１５】
一方、サムターン軸５の前記止め輪６の近傍でこれより室外側の部分には、サムターン軸の半径方向に打込まれたピン様の係合突起１３が突設されている。
【００１６】
その為、上記付勢ばね１１の弾力がサムターン軸５を外方に付勢しても、係合突起１３がサムターン案内筒２の内端面或いは係止凹部４（図２参照）の底面に係止されるから、サムターン軸５が外方に抜き出てしまうことはない。
【００１７】
更にまた、図１に示すように、サムターン軸５の室内側の異形断面部（図示の実施例では方形部）には、サムターン軸を操作するときに手指を掛ける摘み１４が装着されている。
【００１８】
一方、図１に示すように、扉１の外面側に装着されたシリンダー錠１２の尾栓１５の内端には、テールピース１６が嵌着されている。
【００１９】
このテールピース１６は、図５に示すように、横断面形状が略横向きト字形の部材で、ダルマ軸９のクラッチ孔８（図４参照）と係脱してダルマ軸９の回動操作を行う操作板部１６ａと、次に述べる作動ピン１７を案内するピン案内部１６ｂとを一体に結合したものである。
【００２０】
なお、図示のようにテールピース１６を非対称に形成した理由は、シリンダー錠１２の内筒或いはサムターン軸５の回動中心Ｏと、作動ピン１７或いはシリンダー錠の鍵孔１８（図１参照）とが図示の実施例では上下方向にずれているためであって、この発明の必須の構成要件ではない。
【００２１】
そして、鍵孔１８の内端部には、上記テールピース１６を室内側から挿通するようにして、作動ピン１７の一端部が長さ方向に移動可能に挿入されている。
【００２２】
この作動ピン１７の内端部には、図１に示すように、鍵孔１８から室外側に抜け出ることを防止するため止め輪６を嵌着することを可とする。
【００２３】
そして、施錠時、係合突起１３がサムターン案内筒２に形成された係合凹部４と係合し、付勢ばね１１の弾力により係合凹部の底面に定座した状態で、サムターン軸５の内端面、すなわち連結片７の内端面と作動ピン１７との内端が軽く当接するか、或いは僅かの隙間を介して対峙するように、各部の寸法を設定する。
【００２４】
なお、図３において符号８ａはテールピースの前記ピン案内部１６ａ（図５参照）との干渉を避けるためにクラッチ孔８に形成された切り欠きで、図示の実施例におけるシリンダー錠は、内筒を時計方向に９０度回して、すなわち図４では反時計方向に９０度回して施錠し、９０度回し戻して鍵を引き抜き、内筒を図４で時計方向に９０度回して解錠し、９０度回し戻して鍵を引き抜く操作をするものとする。
【００２５】
上記のように構成されたこの発明の一実施例による安全装置は、施錠時には、図示しない錠箱からストライク板側に突出したデッドボルトによって扉が扉枠に錠止されると共に、図１に示すように、室内側の係合突起１３がサムターン案内筒の係止凹部４（図２参照）と係合している。
【００２６】
この状態で、ピッキングによりシリンダ錠を不正解錠して室外側からダルマ軸９を解錠方向に回そうとすると、図３に示すようにサムターン軸５とダルマ軸９とは円周方向においては一体に結合されているので、ダルマ軸９を介してデッドボルトを引っ込ませようとする外力は係合突起１３と係止凹部４との係合を介してサムターン案内筒２に衝止され、それ以上シリンダ錠を回すことができなくなる。
【００２７】
ちなみに、合鍵によるシリンダ錠の操作は通常２種類で、すなわち鍵を鍵孔に挿入して解錠方向に９０度回し、解錠後９０度戻して鍵を抜くのがその一で、鍵の挿入後解錠方向に１８０度回し、その角度位置で鍵を抜くのがその二である。
【００２８】
前者の場合は解錠方向への回動始めにおいてその回動を阻止され、後者の場合は、ダルマ軸９のクラッチ孔８の作用により、シリンダ錠の内筒が９０度空転したのちそれ以後の回動が阻止される。
【００２９】
したがって、たとえピッキングによってシリンダ錠が不正解錠されたとしても、デッドボルトを引っ込ませることはできず、結局その不正解錠は無効となる。
【００３０】
扉の主な錠が電気錠の場合、電気錠は比較的ピッキングが困難であると信じられているが、電気錠は一般に停電や電池の消耗に備えて機械的なシリンダ錠が併設されているから、ピッキングに対する安全性はシリンダ錠と変るところはないので、電気錠においても本発明による安全装置は有用である。
【００３１】
一方、家人が帰ってきて図２に示すように合鍵１９をシリンダ錠１２の鍵孔に挿入すると、合鍵１９の先端が作動ピン１７を内方に押込むので、その他端（内端）が付勢ばねの弾力に抗してサムターン軸５を室内側に押動し、サムターン案内軸２の係止凹部４とサムターン軸の係合突起１３との係合を解き、テールピース１６を図４で時計方向に回動させる。
【００３２】
この場合、図示の実施例では、作動ピン１７の他端は連結片７の中心ではなく図３において中心より少し上を押動するが、基本的な作動には影響が無い。
【００３３】
すると、ダルマ軸９は自由になるから、テールピース１６、ダルマ軸９及びサムターン軸５は円周方向には一体に結合された状態で解錠方向に回動してデッドボルトが錠箱内に引っ込む。
【００３４】
図示の実施例では９０度回し戻して合鍵を引き抜くから、係止凹部４と係合突起１３とは付勢ばね１１の弾力により再び係合する。
【００３５】
これに対し、合鍵を解錠方向に１８０度回してその角度位置で合鍵を抜く場合には、係合突起１３は係止凹部４から１８０度離れた角度位置でサムターン案内筒２の室内側端面に乗り上がる。
【００３６】
外出の為施錠するときには、やはり合鍵を鍵孔に挿入するから、サムターン軸５とサムターン案内筒２との係合が解かれ、施錠操作に悪影響が出ることはない。
【００３７】
なお、解錠後室内側からサムターンを操作して施錠するときには、摘み１４を少し引いて係止凹部４と係合突起１３との係合を解き、しかる後サムターン軸５を施錠方向に回す。
【００３８】
なお、本発明を実施するにあたり図示の実施例に限定されることなく、種々に変形して実施することが可能である。
【００３９】
例えば、図示の実施例では係合突起１３をサムターン軸５に、係止凹部４をサムターン案内筒２に形成するものとしたが、これは部材の形状を変更して逆に設置することができる。
【００４０】
また、図示の実施例におけるシリンダー錠は所謂レバータンブラー錠であるが、この発明はレバータンブラー錠に限定されることなく、ディスクタンブラー錠、ピンタンブラー錠或いは磁石タンブラー錠に適用できる。
【００４１】
【発明の効果】
以上の説明から明らかなように、本発明は、施錠時係合突起と係止凹部との係合によりサムターン軸を固定するようにし、合鍵の鍵孔への挿入時その先端により作動ピンを介してこれらの係合を解くようにしたので、ピッキングによりシリンダ錠を解錠してもデッドボルトを引っ込ませることができず、したがってピッキングを無効にして錠前の安全性を格段に向上させることができる、という効果を奏する。
【図面の簡単な説明】
【図１】本発明の一実施例による安全装置の要部を示す一部断面側面図で施錠状態を示す。
【図２】本発明の一実施例による安全装置の要部を示す一部断面側面図でシリンダ錠の鍵孔に合鍵を挿入した状態を示す。
【図３】図１のＩＩＩ−ＩＩＩ線による拡大一部断面図。
【図４】図２のＩＶ−ＩＶ線による拡大一部断面図。
【図５】テールピースの拡大端面図。
【符号の説明】
２  サムターン案内筒
４  係止凹部
５  サムターン軸
７  連結片
８  クラッチ孔
９  ダルマ軸
１１  付勢ばね
１２  シリンダー錠
１３  係合突起
１６  テールピース
１７  作動ピン
１８  鍵孔
１９  合鍵
【図１】
0004202501.tif 000002
【図２】
0004202501.tif 000003
【図３】
0004202501.tif 000004
【図４】
0004202501.tif 000005
【図５】
0004202501.tif 000006